(57)【要約】【課題】ファクシミリ送信の前に発信元、発信先を示す情報を付加した原稿画像情報を表示する画像処理プログラム及び画像処理装置を提供する。【解決手段】画像処理装置１は、ファクシミリ送信前において、発信元及び発信先を示す発信情報のうち未確定の情報を機種依存文字を用いて画像化して発信情報画像情報１１３とする発信情報画像化手段１０１と、光学走査部１４が原稿２を光学走査して生成された原稿画像情報１１１の内容に、発信情報画像情報１１３を合成したプレビュー画像情報１１４表示処理する原稿画像プレビュー手段１０２とを有する。【選択図】図１
2016063348.tif 000002
【特許請求の範囲】
【請求項１】
コンピュータを、
ファクシミリ送信前において、発信元及び発信先を示す発信情報のうち未確定の情報を機種依存文字を用いて画像化する画像化手段と、
光学走査部が原稿を光学走査して生成された原稿画像情報の内容に、前記画像化された発信情報を合成して表示処理するプレビュー手段として機能させる画像処理プログラム。
【請求項２】
前記画像化手段は、前記発信情報のうちファクシミリ送信前において確定している情報であって、ファクシミリ送信する装置が有さないフォントが用いられた情報について機種依存文字を用いて画像化する請求項１に記載の画像処理プログラム。
【請求項３】
前記画像化手段は、前記発信情報のうちファクシミリ送信前において確定している情報であって、ファクシミリ送信する装置が有さないフォントが用いられた情報について外部から当該フォントを取得して画像化する請求項１に記載の画像処理プログラム。
【請求項４】
前記画像化手段は、前記発信情報のうちファクシミリ送信前において確定している情報であって、複数のフォントの候補が存在する情報について複数のフォントを選択可能に画像化する請求項１又は３に記載の画像処理プログラム。
【請求項５】
ファクシミリ送信前において、発信元及び発信先を示す発信情報のうち未確定の情報を機種依存文字を用いて画像化する画像化手段と、
光学走査部が原稿を光学走査して生成された原稿画像情報の内容に、前記画像化された発信情報を合成して表示処理するプレビュー手段とを有する画像処理装置。
【発明の詳細な説明】
【技術分野】
【０００１】
本発明は、画像処理プログラム及び画像処理装置に関する。
【背景技術】
【０００２】
従来の技術として、原稿を読み取って生成された原稿画像情報を送信前にプレビュー表示し、送信後に送信シート及び発信元情報を付加した原稿画像情報を表示する画像形成装置が提案されている（例えば、特許文献１参照）。
【０００３】
特許文献１に開示された画像形成装置は、原稿を読み取って原稿画像情報を生成する原稿読取部と、原稿画像情報を表示可能な表示部と、通信相手装置との間でファクシミリ（ＦＡＸ）の規格で情報の送受信を行うＦＡＸ通信部とを有し、原稿読取部で原稿を読み取って生成された原稿画像情報を、ＦＡＸ通信部によって通信相手装置に送信する前に表示部にプレビュー表示し、ＦＡＸ通信部によって通信相手装置に送信した後に送信シート及び発信元情報等の発信情報が付加されていた場合には原稿画像情報に発信情報を付加して表示する。
【先行技術文献】
【特許文献】
【０００４】
【特許文献１】特開２００８−２９４８７９号公報
【発明の概要】
【発明が解決しようとする課題】
【０００５】
本発明の目的は、ファクシミリ送信の前に発信元、発信先を示す情報を付加した原稿画像情報を表示する画像処理プログラム及び画像処理装置を提供することにある。
【課題を解決するための手段】
【０００６】
本発明の一態様は、上記目的を達成するため、以下の画像処理プログラム及び画像処理装置を提供する。
【０００７】
［１］コンピュータを、
ファクシミリ送信前において、発信元及び発信先を示す発信情報のうち未確定の情報を機種依存文字を用いて画像化する画像化手段と、
光学走査部が原稿を光学走査して生成された原稿画像情報の内容に、前記画像化された発信情報を合成して表示処理するプレビュー手段として機能させる画像処理プログラム。
［２］前記画像化手段は、前記発信情報のうちファクシミリ送信前において確定している情報であって、ファクシミリ送信する装置が有さないフォントが用いられた情報について機種依存文字を用いて画像化する前記［１］に記載の画像処理プログラム。
［３］前記画像化手段は、前記発信情報のうちファクシミリ送信前において確定している情報であって、ファクシミリ送信する装置が有さないフォントが用いられた情報について外部から当該フォントを取得して画像化する前記［１］に記載の画像処理プログラム。
［４］前記画像化手段は、前記発信情報のうちファクシミリ送信前において確定している情報であって、複数のフォントの候補が存在する情報について複数のフォントを選択可能に画像化する前記［１］又は［３］に記載の画像処理プログラム。
［５］ファクシミリ送信前において、発信元及び発信先を示す発信情報のうち未確定の情報を機種依存文字を用いて画像化する画像化手段と、
光学走査部が原稿を光学走査して生成された原稿画像情報の内容に、前記画像化された発信情報を合成して表示処理するプレビュー手段とを有する画像処理装置。
【発明の効果】
【０００８】
請求項１又は５に係る発明によれば、ファクシミリ送信の前に発信元、発信先を示す情報を付加した原稿画像情報を表示することができる。
請求項２に係る発明によれば、発信情報のうちファクシミリ送信前において確定している情報であって、ファクシミリ送信する装置が有さないフォントが用いられた情報について機種依存文字を用いて画像化することができる。
請求項３に係る発明によれば、発信情報のうちファクシミリ送信前において確定している情報であって、ファクシミリ送信する装置が有さないフォントが用いられた情報について外部から当該フォントを取得して画像化することができる。
請求項４に係る発明によれば、発信情報のうちファクシミリ送信前において確定している情報であって、複数のフォントの候補が存在する情報について複数のフォントを選択可能に画像化することができる。
【図面の簡単な説明】
【０００９】
【図１】図１は、実施の形態に係る本発明の通信システムの構成例を示す概略図である。
【図２】図２は、画像処理装置の構成例を示すブロック図である。
【図３】図３は、タブレット端末の構成例を示すブロック図である。
【図４】図４（ａ）及び（ｂ）は、原稿画像プレビュー手段が表示部にプレビュー表示画面を表示する動作を説明するための図である。
【図５】図５は、画像処理装置の動作例を示すフローチャートである。
【図６】図６（ａ）−（ｃ）は、画像処理装置の動作を説明するための図である。
【図７】図７（ａ）−（ｃ）は、画像処理装置の動作を説明するための図である。
【図８】図８（ａ）−（ｃ）は、画像処理装置の動作を説明するための図である。
【発明を実施するための形態】
【００１０】
［第１の実施の形態］
（通信システムの構成）
図１は、第１の実施の形態に係る本発明の通信システムの構成例を示す概略図である。
【００１１】
この通信システムは、画像処理装置１と、外部の画像処理装置４Ａ及び４Ｂとを例えば公衆網であるネットワーク５を介して通信可能に接続されて構成されており、画像処理装置１と外部の画像処理装置４Ａ及び４Ｂとの間で一例としてファクシミリ（以下、「ＦＡＸ」という。）の方式によって情報の送受信を行う。また、画像処理装置１は、例えばＬＡＮ（Ｌｏｃａｌ  Ａｒｅａ  Ｎｅｔｗｏｒｋ）等のネットワークにより画像処理装置１が有していないフォントを提供するフォント提供サーバ６と接続される。
【００１２】
画像処理装置１は、ＦＡＸ送受信機能、プリンタ、スキャナ、コピー機能を有する装置であって、情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。画像処理装置１は、原稿２を光学走査部１４において読み取り、表示部１２に読み取り結果を表示して、ＦＡＸ通信部１６においてＦＡＸ送信を行う。
【００１３】
タブレット端末３は、画像処理装置１と一例として無線で通信し、画像処理装置１が光学走査部１４において読み取った原稿２の読み取り結果を表示するとともに、読み取った原稿２の画像をＦＡＸ送信するよう画像処理装置１を制御する。
【００１４】
画像処理装置４Ａ及び４Ｂは、ＦＡＸ送受信機能を有していればよく、画像処理装置１から送信される情報を受信して印刷又は表示するものであり、例えば、ＦＡＸ又はＦＡＸ付プリンタであるが、画像処理装置１から送信される情報を受信して表示のみするＰＣ、タブレット端末、携帯電話等であってもよい。
【００１５】
ネットワーク５は、例えば、通信事業者が設営した有料の通信ネットワークであり、公衆交換通信網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）やＩＰ通信網等の外部ネットワークである。
【００１６】
図２は、画像処理装置１の構成例を示すブロック図である。
【００１７】
画像処理装置１は、ＣＰＵ等から構成され、各部を制御するとともに、各種のプログラムを実行する制御部１０と、フラッシュメモリ等の記憶媒体から構成され情報を記憶する記憶部１１と、文字や画像等を表示する表示部１２と、画像処理装置１を操作するための操作部１３と、文字や画像等の書き込まれた用紙を光学走査する光学走査部１４と、用紙に印刷を実行する印刷部１５と、ネットワーク５を介して外部とＦＡＸの方式で通信するＦＡＸ通信部１６と、一例として無線により外部と通信する通信部１７とを備える。
【００１８】
制御部１０は、後述する画像処理プログラム１１０を実行することで、光学走査制御手段１００、発信情報画像化手段１０１、原稿画像プレビュー手段１０２及びＦＡＸ通信制御手段１０３等として機能する。
【００１９】
光学走査制御手段１００は、解像度、サイズ、カラー／モノクロ等の光学走査部１４の原稿読取条件を設定するとともに、光学走査部１４を制御して原稿２を読み取り原稿画像情報１１１を生成する。
【００２０】
発信情報画像化手段１０１は、送信シート及び発信元情報等の発信情報を原稿画像情報１１１に付加するよう操作を受け付けた場合、記憶部１１のフォント情報１１２を用いて当該発信情報を画像化して発信情報画像情報１１３を生成する。なお、送信シートとは、原稿画像情報１１１と別に新たに加えられるページであり発信元、発信先の情報を有するものである。また、発信元情報は、原稿画像情報１１１の先頭ページ又は各ページの一部の領域に記載される発信元、発信先の情報である。
【００２１】
原稿画像プレビュー手段１０２は、光学走査部１４が原稿２を読み取った結果生成された原稿画像情報１１１と、発信情報画像化手段１０１が生成した発信情報画像情報１１３とからプレビュー画像情報１１４を生成して、表示処理し、表示部１２に表示させる。
【００２２】
ＦＡＸ通信制御手段１０３は、ＦＡＸ通信部１６を制御して、選択された発信先又は利用者によって操作部１３を介して入力された発信先に、原稿画像情報１１１に発信情報を付加した情報をファクシミリの規格で送信する。
【００２３】
記憶部１１は、制御部１０を上述した各手段１００−１０３として動作させる画像処理プログラム１１０、原稿画像情報１１１、フォント情報１１２、発信情報画像情報１１３及びプレビュー画像情報１１４等を記憶する。
【００２４】
図３は、タブレット端末３の構成例を示すブロック図である。
【００２５】
タブレット端末３は、ＣＰＵ等から構成され、各部を制御するとともに、各種のプログラムを実行する制御部３０と、フラッシュメモリ等の記憶媒体から構成され情報を記憶する記憶部３１と、文字や画像等を表示する表示部３２と、画像処理装置１を操作するための操作部３３と、一例として無線により画像処理装置１と通信する通信部３４とを備える。
【００２６】
制御部３０は、後述する遠隔操作プログラム３１０を実行することで、遠隔操作手段３００及び原稿画像プレビュー手段３０１等として機能する。
【００２７】
遠隔操作手段３００は、ネットワーク５を介して画像処理装置１を遠隔操作し、発信先を選択又は入力して、画像処理装置１の記憶部１１に格納された原稿画像情報１１１又はタブレット端末３の記憶部３１に格納された原稿画像情報３１１を画像処理装置１にＦＡＸ送信させる。
【００２８】
原稿画像プレビュー手段３０１は、ＦＡＸ送信の前に画像処理装置１で生成されたプレビュー画像情報１１４を表示処理し、表示部３２に表示させる。
【００２９】
記憶部３１は、制御部３０を上述した各手段３００、３０１として動作させる遠隔操作プログラム３１０、原稿画像情報３１１及びフォント情報３１２等を記憶する。フォント情報３１２は、タブレット端末３の表示部３２においてテキストデータを表示する際に用いられるフォントの情報である。
【００３０】
ここで、画像処理装置１の記憶部１１に格納されたフォント情報１１２とタブレット端末３のフォント情報３１２とが異なる場合、タブレット端末３で作成されたデータに含まれる文字に設定されたフォントが画像処理装置１のフォント情報３１２に無い場合、当該文字は代替文字に置き換えられ正しい表示ができなくなる。以下、画像処理装置１とタブレット端末３のフォントの不一致について説明するが、画像処理装置１の表示部１２に操作案内を表示するためのＵＩに用いられるフォントと、ＦＡＸ通信部１６が有するフォントが一致しない場合についても同様に本願発明を適用できる。
【００３１】
（画像処理装置の動作）
以下に、実施の形態の画像処理装置１の動作を図１−図５を参照しつつ、（１）基本動作、（２）プレビュー動作及び（３）ＦＡＸ送信動作に分けて説明する。
【００３２】
（１）基本動作
図５は、画像処理装置１の動作例を示すフローチャートである。
【００３３】
まず、画像処理装置１の利用者は、操作部１３を操作し、又はタブレット端末３の操作部３３を操作し、ＦＡＸ受付の準備をする。
【００３４】
画像処理装置１は、利用者の操作に応じてＦＡＸ送信要求の受付を開始し、発信先の電話番号の選択又は入力を受け付けるとともに（Ｓ１；Ｙｅｓ）、光学走査部１４の原稿台にＦＡＸ送信する対象となる原稿２をセットするよう利用者に促す。一例として、「ＡＢＣＤＥ株式会社」に対するＦＡＸであって電話番号が「０３−１２３−１２３４」、発信元が「ＣＤＥＦＧ株式会社」であるとする。
【００３５】
利用者は、発信先の電話番号を選択又は入力するとともに、原稿２を原稿台にセットし、原稿２を光学走査部１４において読み取らせるため操作部１３又は操作部３３を操作する。
【００３６】
画像処理装置１の光学走査制御手段１００は、原稿読取操作を受け付けると（Ｓ２；Ｙｅｓ）、光学走査部１４に対する解像度、サイズ、カラー／モノクロ等の原稿読取条件を設定し、当該条件で光学走査部１４を制御して原稿２を読み取る（Ｓ３）。
【００３７】
光学走査部１４は、原稿２を読み取って原稿画像情報１１１を生成して記憶部１１に格納する（Ｓ４）。
【００３８】
次に、原稿画像プレビュー手段１０２は、生成された原稿画像情報１１１をＦＡＸ送信する際に送信シートを付加するか否かを確認する旨を表示部１２又は表示部３２に表示する。
【００３９】
利用者は、送信シートを必要とする場合は、送信シートを付加するため操作部１３又は操作部３３を操作する。
【００４０】
発信情報画像化手段１０１は、送信シートを付加するよう操作を受け付けた場合（Ｓ５；Ｙｅｓ）、記憶部１１のフォント情報１１２を用いて当該送信シート用の画像を生成して発信情報画像情報１１３とする（Ｓ６）。
【００４１】
また、原稿画像プレビュー手段１０２は、生成された原稿画像情報１１１をＦＡＸ送信する際に発信元記録を付加するか否かを確認する旨を表示部１２又は表示部３２に表示する。
【００４２】
利用者は、発信元記録を必要とする場合は、発信元記録を付加するため操作部１３又は操作部３３を操作する。
【００４３】
発信情報画像化手段１０１は、発信元記録を付加するよう操作を受け付けた場合（Ｓ７；Ｙｅｓ）、記憶部１１のフォント情報１１２を用いて当該発信元記録用の画像を生成して発信情報画像情報１１３とする（Ｓ８）。
【００４４】
ここで、発信情報画像情報１１３を生成する際の具体例として、Ｓ７のように発信元記録を付加するよう操作を受け付けた場合について説明する。
【００４５】
なお、上記「（１）基本動作」では、紙の原稿２を光学走査部１４で読み取ってファクス送信する例を説明したが、タブレット端末３内のワープロ文書や画像情報等を画像処理装置１に直接送信指示する場合(ダイレクトファクス又はペーパーレスファクス)にも、同様に以下に説明するプレビュー動作を実行する。
【００４６】
（２）プレビュー動作
原稿画像プレビュー手段１０２は、原稿画像情報１１１と、発信情報画像化手段１０１が生成した発信情報画像情報１１３とからプレビュー画像情報１１４を生成して、表示処理し、表示部１２又は表示部３２に表示させる（Ｓ９）。
【００４７】
図４（ａ）及び（ｂ）は、原稿画像プレビュー手段１０２が表示部１２又は表示部３２にプレビュー表示画面を表示する動作を説明するための図である。
【００４８】
図４（ａ）に示すように、原稿画像情報１１１は、「ＡＢＣＤＥ株式会社」に対してＦＡＸ送信される情報であって電話番号が「０３−１２３−１２３４」、発信元が「ＣＤＥＦＧ株式会社」である。
【００４９】
この場合、原稿画像プレビュー手段１０２によって表示部１２又は表示部３２に表示されるプレビュー表示画面１０２ａは、図４（ｂ）に示すように、プレビュー画像１１４ａを表示し、原稿画像情報１１１によって表示される原稿画像１１１ａと、原稿画像１１１ａのヘッダに配置される発信情報１０１ａとを有する。発信情報１０１ａは、送信前のために内容が未確定であってその詳細が「Ｘ」を用いて表される年月日１０１ａ１及び時刻１０１ａ２と、送信前であっても内容が確定しており具体的な内容が表される発信先１０１ａ３及び発信元１０１ａ４とを有する。なお、未確定である場合に用いられる「Ｘ」は例示であって、他の文字や記号を用いてもよいし、未確定であることを示す画像を用いてもよい。
【００５０】
利用者は、プレビュー表示画面１０２ａを確認し、内容に問題がなければ操作部１３又は操作部３３を操作して送信ボタン１２５を押下する。
【００５１】
（３）ＦＡＸ送信動作
次に、ＦＡＸ通信制御手段１０３は、ＦＡＸ通信部１６を制御して、選択又は入力された発信先に、発信情報を付加して原稿画像情報１１１を送信する（Ｓ８）。なお、この際、プレビュー表示画面１０２ａでは「Ｘ」を用いて表された年月日１０１ａ１及び時刻１０１ａ２には、具体的な内容として送信年月日及び送信時刻が入力される。
【００５２】
（第１の実施の形態の効果）
上記した第１の実施の形態によれば、送信前のために内容が未確定である情報については「Ｘ」を用いて発信情報画像情報１１３を生成したため、ＦＡＸ送信の前に、原稿画像情報１１１に発信情報を付加してプレビュー表示することができる。また、送信前であっても内容が確定している発信先１０１ａ３及び発信元１０１ａ４の内容をＦＡＸ送信の前に利用者に確認させることができる。
【００５３】
なお、未確定の情報は日時や時刻に限らず、発信元や発信先がＦＡＸ送信前に未確定であれば「Ｘ」を用いて表示してもよい。
【００５４】
［第２の実施の形態］
第２の実施の形態は、発信情報に用いられるフォントと、画像処理装置１に設定されているフォントとが異なる場合について説明する。一例として、発信情報はタブレット端末３によって入力され、発信情報に用いられるフォントはタブレット端末３のフォント情報３１２であって日本語である。また、画像処理装置１に設定されているフォントはフォント情報１１２であって英語である。なお、第１の実施の形態と共通の構成については説明を省略する。
【００５５】
以下に、第２の実施の形態の画像処理装置１の動作を図１−図３、図６を参照しつつ、（１）基本動作、（２）プレビュー動作及び（３）ＦＡＸ送信動作に分けて説明する。
【００５６】
図６（ａ）−（ｃ）は、画像処理装置１の動作を説明するための図である。
【００５７】
（１）基本動作
まず、画像処理装置１の利用者は、タブレット端末３の操作部３３を操作し、ＦＡＸ受付の準備をする。タブレット端末３において一例として、図６（ａ）に示すように、発信先名が「ＡＢＣＤＥ株式会社」、電話番号が「０３−１２３−１２３４」であって、発信元が「ＣＤＥＦＧ株式会社」と入力されたとする。これらの情報はタブレット端末３の日本語のフォント情報３１２が用いられているものとする。
【００５８】
タブレット端末３は、上記発信先名、電話番号及び発信元とともに、ＦＡＸ送信要求を画像処理装置１に送信する。
【００５９】
画像処理装置１は、タブレット端末３から発信先名、電話番号及び発信元並びにＦＡＸ送信要求を受け付けると（Ｓ１；Ｙｅｓ）、光学走査部１４の原稿台にＦＡＸ送信する対象となる原稿２をセットするよう利用者に促す。なお、発信先名、電話番号及び発信元の情報は図示しないメモリに一時的に格納される。
【００６０】
利用者は、原稿２を原稿台にセットし、原稿２を光学走査部１４において読み取らせるため操作部１３又は操作部３３を操作する。
【００６１】
画像処理装置１の光学走査制御手段１００は、原稿読取操作を受け付けると（Ｓ２；Ｙｅｓ）、光学走査部１４に対する解像度、サイズ、カラー／モノクロ等の原稿読取条件を設定し、当該条件で光学走査部１４を制御して原稿２を読み取る（Ｓ３）。
【００６２】
光学走査部１４は、原稿２を読み取って原稿画像情報１１１を生成して記憶部１１に格納する（Ｓ４）。
【００６３】
次に、原稿画像プレビュー手段１０２は、生成された原稿画像情報１１１をＦＡＸ送信する際に送信シートを付加するか否かを確認する旨を表示部１２又は表示部３２に表示する。
【００６４】
利用者は、送信シートを必要とする場合は、送信シートを付加するため操作部１３又は操作部３３を操作する。
【００６５】
発信情報画像化手段１０１は、送信シートを付加するよう操作を受け付けた場合（Ｓ５；Ｙｅｓ）、タブレット端末３から受け付けた日本語の発信先名、電話番号及び発信元に基づき、記憶部１１の英語のフォント情報１１２を用いて当該送信シート用の画像を生成して発信情報画像情報１１３とする（Ｓ６）。図６（ｂ）に示すように、フォント情報１１２には英語のフォントが設定されているものとする。
【００６６】
また、原稿画像プレビュー手段１０２は、生成された原稿画像情報１１１をＦＡＸ送信する際に発信元記録を付加するか否かを確認する旨を表示部１２又は表示部３２に表示する。
【００６７】
利用者は、発信元記録を必要とする場合は、発信元記録を付加するため操作部１３又は操作部３３を操作する。
【００６８】
発信情報画像化手段１０１は、発信元記録を付加するよう操作を受け付けた場合（Ｓ７；Ｙｅｓ）、タブレット端末３から受け付けた日本語の発信先名、電話番号及び発信元に基づき、記憶部１１の英語のフォント情報１１２を用いて当該発信元記録用の画像を生成して発信情報画像情報１１３とする（Ｓ８）。
【００６９】
ここで、発信情報画像情報１１３を生成する際の具体例として、Ｓ７のように発信元記録を付加するよう操作を受け付けた場合について説明する。
【００７０】
（２）プレビュー動作
原稿画像プレビュー手段１０２は、原稿画像情報１１１と、発信情報画像化手段１０１が生成した発信情報画像情報１１３とからプレビュー画像情報１１４を生成して、表示処理し、表示部１２又は表示部３２に表示させる（Ｓ９）。
【００７１】
図６（ａ）で示したように、原稿画像情報１１１は、タブレット端末３でフォント情報３１２を用いて入力されたように、「ＡＢＣＤＥ株式会社」に対してＦＡＸ送信される情報であって電話番号が「０３−１２３−１２３４」、発信元が「ＣＤＥＦＧ株式会社」である。しかし、このうち「株式会社」については英語であるフォント情報１１２に存在しない文字であるため発信情報画像化手段１０１は当該部分についての文字を画像化できない。そのため、発信情報画像化手段１０１は、以下に説明する図６（ｃ）に示すように、フォント情報１１２に存在しない文字に対し「■」を用いる。なお、「■」は機種依存文字の例示であって、他の文字や記号又は画像を用いてもよい。
【００７２】
この場合、原稿画像プレビュー手段１０２によって表示部１２又は表示部３２に表示されるプレビュー表示画面１０２ｂは、図６（ｃ）に示すように、プレビュー画像１１４ｂを表示し、原稿画像情報１１１によって表示される原稿画像１１１ｂと、原稿画像１１１ｂのヘッダに配置される発信情報１０１ｂとを有する。発信情報１０１ｂは、送信前のために内容が未確定であってその詳細が「Ｘ」を用いて表される年月日１０１ｂ１及び時刻１０１ｂ２と、送信前であっても内容が確定している具体的な内容であるがフォントの存在しない文字を含む発信先１０１ｂ３及び発信元１０１ｂ４とを有する。
【００７３】
利用者は、プレビュー表示画面１０２ｂを確認し、内容に問題がなければ操作部１３又は操作部３３を操作して送信ボタン１２５を押下する。また、内容に問題があれば送信をキャンセルし、操作部１３又は操作部３３を操作して発信元や発信先の情報を画像化可能なフォントによって入力しなおしてもよい。
【００７４】
（３）ＦＡＸ送信動作
次に、ＦＡＸ通信制御手段１０３は、ＦＡＸ通信部１６を制御して、選択又は入力された発信先に、発信情報を付加して原稿画像情報１１１を送信する（Ｓ８）。なお、この際、プレビュー表示画面１０２ｂでは「Ｘ」を用いて表された年月日１０１ｂ１及び時刻１０１ｂ２には、具体的な内容として送信年月日及び送信時刻が入力されるが、発信先１０１ｂ３及び発信元１０１ｂ４の「■」についてはそのままが用いられる。
【００７５】
（第２の実施の形態の効果）
上記した第２の実施の形態によれば、第１の実施の形態の効果に加えて、画像処理装置１のフォント情報１１２に存在しない文字については「■」を用いて発信情報画像情報１１３を生成したため、ＦＡＸ送信の前に正しく表示されない発信情報をプレビュー表示して利用者に通知することができる。
【００７６】
［第３の実施の形態］
第３の実施の形態は、発信情報に用いられるフォントと、画像処理装置１に設定されているフォントとが異なるが、フォント提供サーバ６が発信情報に用いられるフォントを有している場合について説明する。一例として、発信情報に用いられるフォントはタブレット端末３のフォント情報３１２であって日本語である。また、画像処理装置１に設定されているフォントはフォント情報１１２であって英語である。また、フォント提供サーバ６が有するフォントは日本語である。なお、第１の実施の形態と共通の構成については説明を省略する。
【００７７】
以下に、第３の実施の形態の画像処理装置１の動作を図１−図３、図７を参照しつつ、（１）基本動作、（２）プレビュー動作及び（３）ＦＡＸ送信動作に分けて説明する。
【００７８】
図７（ａ）−（ｃ）は、画像処理装置１の動作を説明するための図である。
【００７９】
（１）基本動作
基本動作のうち、第２の実施の形態のステップＳ１−Ｓ４に該当する部分については同様であるため省略する。なお、タブレット端末３において一例として、図７（ａ）に示すように、発信先名が「ＡＢＣＤＥ株式会社」、電話番号が「０３−１２３−１２３４」であって、発信元が「ＣＤＥＦＧ株式会社」と入力されたとする。ステップＳ５−Ｓ８については、異なるため以下説明する。
【００８０】
発信情報画像化手段１０１は、送信シートを付加するよう操作を受け付けた場合（Ｓ５；Ｙｅｓ）、フォント提供サーバ６に日本語のフォントを要求し、取得して、タブレット端末３から受け付けた日本語の発信先名、電話番号及び発信元に基づき、当該送信シート用の画像を生成して発信情報画像情報１１３とする（Ｓ６）。図７（ｂ）に示すように、フォント情報１１２には英語のフォントが設定されているものとする。
【００８１】
また、発信情報画像化手段１０１は、発信元記録を付加するよう操作を受け付けた場合（Ｓ７；Ｙｅｓ）、フォント提供サーバ６に日本語のフォントを要求し、取得して、タブレット端末３から受け付けた日本語の発信先名、電話番号及び発信元に基づき、当該発信元記録用の画像を生成して発信情報画像情報１１３とする（Ｓ８）。
【００８２】
（２）プレビュー動作
原稿画像プレビュー手段１０２は、原稿画像情報１１１と、発信情報画像化手段１０１が生成した発信情報画像情報１１３とからプレビュー画像情報１１４を生成して、表示処理し、表示部１２又は表示部３２に表示させる（Ｓ９）。
【００８３】
図７（ａ）で示したように、原稿画像情報１１１は、タブレット端末３でフォント情報３１２を用いて入力されたように、「ＡＢＣＤＥ株式会社」に対してＦＡＸ送信される情報であって電話番号が「０３−１２３−１２３４」、発信元が「ＣＤＥＦＧ株式会社」である。しかし、このうち「株式会社」については英語であるフォント情報１１２に存在しない文字であるため発信情報画像化手段１０１は当該部分についての文字を画像化できない。そのため、発信情報画像化手段１０１は、フォント提供サーバ６からフォント情報３１２に該当するフォントを取得し、以下に説明する図７（ｃ）に示すように表示する。
【００８４】
この場合、原稿画像プレビュー手段１０２によって表示部１２又は表示部３２に表示されるプレビュー表示画面１０２ｃは、図７（ｃ）に示すように、プレビュー画像１１４ｃを表示し、原稿画像情報１１１によって表示される原稿画像１１１ｃと、原稿画像１１１ｃのヘッダに配置される発信情報１０１ｃとを有する。発信情報１０１ｃは、送信前のために内容が未確定であってその詳細が「Ｘ」を用いて表される年月日１０１ｃ１及び時刻１０１ｃ２と、送信前であっても内容が確定している具体的な内容であってフォント提供サーバ６から取得したフォントに存在する文字を用いて画像化された発信先１０１ｃ３及び発信元１０１ｃ４とを有する。
【００８５】
利用者は、プレビュー表示画面１０２ｃを確認し、内容に問題がなければ操作部１３又は操作部３３を操作して送信ボタン１２５を押下する。
【００８６】
（３）ＦＡＸ送信動作
次に、ＦＡＸ通信制御手段１０３は、ＦＡＸ通信部１６を制御して、選択又は入力された発信先に、発信情報を付加して原稿画像情報１１１を送信する（Ｓ８）。なお、この際、プレビュー表示画面１０２ｃでは「Ｘ」を用いて表された年月日１０１ｃ１及び時刻１０１ｃ２には、具体的な内容として送信年月日及び送信時刻が入力され、発信先１０１ｃ３及び発信元１０１ｃ４についてはフォント提供サーバ６から取得したフォントによって情報が入力される。
【００８７】
（第３の実施の形態の効果）
上記した第３の実施の形態によれば、第２の実施の形態の効果に加えて、画像処理装置１のフォント情報１１２に存在しない文字についてはフォント提供サーバ６から取得したため、ＦＡＸ送信の前に正しく表示される発信情報をプレビュー表示して利用者に通知することができる。
【００８８】
なお、フォント提供サーバ６以外に、画像処理装置１に接続されている他の画像処理装置がある場合であって、他の画像処理装置がフォントを有している場合には、画像処理装置１は当該他の画像装置からフォントを取得してもよい。
【００８９】
［第４の実施の形態］
第４の実施の形態は、発信情報に用いられるフォントと、画像処理装置１に設定されているフォントとが異なり、フォント提供サーバ６が発信情報に用いられるフォントを有しているが、該当するフォントが複数ある場合について説明する。一例として、発信情報に用いられるフォントはタブレット端末３のフォント情報３１２であって日本語であるが、用いられた文字が中国語のフォントにも共通の文字コードを持つものが存在するものとする。また、画像処理装置１に設定されているフォントはフォント情報１１２であって英語である。また、フォント提供サーバ６が有するフォントは日本語及び中国語である。なお、第１の実施の形態と共通の構成については説明を省略する。
【００９０】
以下に、第４の実施の形態の画像処理装置１の動作を図１−図３、図８を参照しつつ、（１）基本動作、（２）プレビュー動作及び（３）ＦＡＸ送信動作に分けて説明する。
【００９１】
図８（ａ）−（ｃ）は、画像処理装置１の動作を説明するための図である。
【００９２】
（１）基本動作
基本動作のうち、第３の実施の形態のステップＳ１−Ｓ４に該当する部分については同様であるため省略する。なお、タブレット端末３において一例として、図８（ａ）に示すように、発信先名が「ＡＢＣ直販部」、電話番号が「０３−１２３−１２３４」であって、発信元が「ＣＤ  ＢＡＮＫ」と入力されたとする。ステップＳ５−Ｓ８については、異なるため以下説明する。
【００９３】
発信情報画像化手段１０１は、送信シートを付加するよう操作を受け付けた場合（Ｓ５；Ｙｅｓ）、フォント提供サーバ６に「直販部」に対応するフォントを要求し、「販」及び「部」については日本語及び中国語に共通の文字コードが用いられているため、両フォントを取得して、タブレット端末３から受け付けた日本語の発信先名、電話番号及び発信元に基づき、当該送信シート用の画像を生成して発信情報画像情報１１３とする（Ｓ６）。図８（ｂ）に示すように、フォント情報１１２には英語のフォントが設定されているものとする。
【００９４】
また、発信情報画像化手段１０１は、発信元記録を付加するよう操作を受け付けた場合（Ｓ７；Ｙｅｓ）、フォント提供サーバ６に同様にフォントを要求し、日本語及び中国語のフォントを取得して、タブレット端末３から受け付けた日本語の発信先名、電話番号及び発信元に基づき、当該発信元記録用の画像を生成して発信情報画像情報１１３とする（Ｓ８）。
【００９５】
（２）プレビュー動作
原稿画像プレビュー手段１０２は、原稿画像情報１１１と、発信情報画像化手段１０１が生成した発信情報画像情報１１３とからプレビュー画像情報１１４を生成して、表示処理し、表示部１２又は表示部３２に表示させる（Ｓ９）。
【００９６】
図８（ａ）で示したように、原稿画像情報１１１は、タブレット端末３でフォント情報３１２を用いて入力されたように、「ＡＢＣ直販部」に対してＦＡＸ送信される情報であって電話番号が「０３−１２３−１２３４」、発信元が「ＣＤ  ＢＡＮＫ」である。しかし、このうち「直販部」については英語であるフォント情報１１２に存在しない文字であるため発信情報画像化手段１０１は当該部分についての文字を画像化できない。そのため、発信情報画像化手段１０１は、フォント提供サーバ６から「直販部」に該当するフォントを取得し、以下に説明する図８（ｃ）に示すように表示する。
【００９７】
この場合、原稿画像プレビュー手段１０２によって表示部１２又は表示部３２に表示されるプレビュー表示画面１０２ｄは、図８（ｃ）に示すように、プレビュー画像１１４ｄを表示し、原稿画像情報１１１によって表示される原稿画像１１１ｄと、原稿画像１１１ｄのヘッダに配置される発信情報１０１ｄとを有する。発信情報１０１ｄは、送信前のために内容が未確定であってその詳細が「Ｘ」を用いて表される年月日１０１ｄ１及び時刻１０１ｄ２と、送信前であっても内容が確定している具体的な内容であってフォント提供サーバ６から取得したフォントに存在する文字を用いて画像化された発信先１０１ｄ３及び発信元１０１ｄ４とを有する。発信先１０１ｄ３は、日本語のフォントと中国語のフォントにおいて共通の文字コードが用いられた文字「直」及び「販」について両フォントの文字を表示する吹き出し１０１ｄ５及び１０１ｄ６を有し、吹き出し１０１ｄ５及び１０１ｄ６は、いずれかのフォントを選択するための選択枠１０２ｄ１及び１０２ｄ２を有する。
【００９８】
利用者は、プレビュー表示画面１０２ｄを確認し、選択枠１０２ｄ１及び１０２ｄ２によっていずれかの文字を選択し、内容に問題がなければ操作部１３又は操作部３３を操作して送信ボタン１２５を押下する。
【００９９】
（３）ＦＡＸ送信動作
次に、ＦＡＸ通信制御手段１０３は、ＦＡＸ通信部１６を制御して、選択又は入力された発信先に、発信情報を付加して原稿画像情報１１１を送信する（Ｓ８）。なお、この際、プレビュー表示画面１０２ｄでは「Ｘ」を用いて表された年月日１０１ｄ１及び時刻１０１ｄ２には、具体的な内容として送信年月日及び送信時刻が入力され、発信先１０１ｄ３及び発信元１０１ｄ４についてはフォント提供サーバ６から取得したフォントのうち選択枠１０２ｄ１及び１０２ｄ２によって選択した文字が入力される。
【０１００】
（第４の実施の形態の効果）
上記した第４の実施の形態によれば、第３の実施の形態の効果に加えて、複数のフォントの候補が存在する文字については両フォントから選択するようにしたため、ＦＡＸ送信の前に発信情報をプレビュー表示して利用者に正しいフォントを選択させることができる。
【０１０１】
なお、フォント提供サーバ６からフォントを取得せずに画像処理装置１が複数のフォントを有している場合にも第４の実施の形態と同様に表示可能である。
【０１０２】
［他の実施の形態］
なお、本発明は、上記実施の形態に限定されず、本発明の要旨を逸脱しない範囲で種々な変形が可能である。例えば、複数のフォントを取得する場合には、表示するフォントに優先順位を設けてもよい。
【０１０３】
また、上記画像処理プログラム１１０をＣＤ−ＲＯＭ等の記憶媒体に格納して提供することも可能であり、インターネット等のネットワークに接続されているサーバ装置等から装置内の記憶部にダウンロードしてもよい。また、各手段１００−１０３、各手段３００、３０１の一部又は全部をＡＳＩＣ等のハードウェアによって実現してもよい。なお、上記実施の形態の動作説明で示した各ステップは、順序の変更、ステップの省略、追加が可能である。
【符号の説明】
【０１０４】
１     画像処理装置
２     原稿
３     タブレット端末
４Ａ、４Ｂ    画像処理装置
５     ネットワーク
６     フォント提供サーバ
１０   制御部
１１   記憶部
１２   表示部
１３   操作部
１４   光学走査部
１５   印刷部
１６   ＦＡＸ通信部
１７   通信部
３０   制御部
３１   記憶部
３２   表示部
３３   操作部
３４   通信部
１００ 光学走査制御手段
１０１ 発信情報画像化手段
１０２ 原稿画像プレビュー手段
１０３ ＦＡＸ通信制御手段
１１０ 画像処理プログラム
１１１ 原稿画像情報
１１２ フォント情報
１１３ 発信情報画像情報
１１４ プレビュー画像情報
１２５ 送信ボタン
３００ 遠隔操作手段
３０１ 原稿画像プレビュー手段
３１０ 遠隔操作プログラム
３１１ 原稿画像情報
３１２ フォント情報
【図１】
2016063348.tif 000003
【図２】
2016063348.tif 000004
【図３】
2016063348.tif 000005
【図４】
2016063348.tif 000006
【図５】
2016063348.tif 000007
【図６】
2016063348.tif 000008
【図７】
2016063348.tif 000009
【図８】
2016063348.tif 000010